(57)【要約】【課題】不規則なビーチボールの動きやお年寄りがビーチボールを殴打した際の衝撃に耐え得る強度と、お年寄りが遊戯中に怪我をしないような安全性とを備え、コストパフォーマンスにも優れたビーチボール及びビーチボールの紐取付構造を提供する。【解決手段】ボールの外表面を縦割りに複数等分した合成樹脂シート２単体の周縁部が貼り合わされてなり、その上端部には気密性を有するように円形状の合成樹脂シート片５が固着されており、合成樹脂シート片５の中央部に空気の挿入口となる空気栓８が設けられているビーチボール１において、合成樹脂シート片５の上に貼着される円形状の合成樹脂シート片６と、同素材のシートを複数枚貼着してなり、空気栓８の周囲を取り囲むように合成樹脂シート片６の上に配されるドーナツ状の合成樹脂シート片７とを備え、合成樹脂シート片６と合成樹脂シート片７とを、空気栓８を中心とする点対称の２箇所において貼着する。【選択図】図１
2012096049.tif 000002
【特許請求の範囲】
【請求項１】
ボールの外表面を縦割りに複数等分した合成樹脂シート単体の周縁部が貼り合わされてなり、その上端部には気密性を有するように円形状の第１の合成樹脂シート片が固着されており、前記第１の合成樹脂シート片の中央部に空気の挿入口となる空気栓が設けられているビーチボールにおいて、
前記第１の合成樹脂シート片の上に貼着される円形状の第２の合成樹脂シート片と、
同素材のシートを複数枚貼着してなり、前記空気栓の周囲を取り囲むように前記第２の合成樹脂シート片の上に配されるドーナツ状の第３の合成樹脂シート片とを備え、
前記第２の合成樹脂シート片と前記第３の合成樹脂シート片とは、前記空気栓を中心とする点対称の２箇所において貼着されていることを特徴とするビーチボール。
【請求項２】
前記第３の合成樹脂シート片は、同素材の合成樹脂シートを３枚重ねでウェルダー加工により溶着されて１枚に形成され、
前記第２の合成樹脂シート片と前記第３の合成樹脂シート片との貼着においてもウェルダー加工を用いることを特徴とする請求項１に記載のビーチボール。
【請求項３】
ボールの外表面を縦割りに複数等分した合成樹脂シート単体の周縁部が貼り合わされてなり、その上端部には気密性を有するように円形状の第１の合成樹脂シート片が固着されており、前記第１の合成樹脂シート片の中央部に空気の挿入口となる空気栓が設けられているビーチボールの紐取付構造であって、
前記第１の合成樹脂シート片の上に貼着される円形状の第２の合成樹脂シート片と、
同素材のシートを複数枚貼着してなり、前記空気栓の周囲を取り囲むように前記第２の合成樹脂シート片の上に配されるドーナツ状の第３の合成樹脂シート片とを備え、
前記第２の合成樹脂シート片と前記第３の合成樹脂シート片とは、前記空気栓を中心とする点対称の２箇所において貼着されていることを特徴とするビーチボールの紐取付構造。
【請求項４】
前記第３の合成樹脂シート片は、同素材の合成樹脂シートを３枚重ねでウェルダー加工により溶着されて１枚に形成され、
前記第２の合成樹脂シート片と前記第３の合成樹脂シート片との貼着においてもウェルダー加工を用いることを特徴とする請求項１に記載のビーチボールの紐取付構造。
【発明の詳細な説明】
【技術分野】
【０００１】
本発明は、天井等の任意の固定部から垂らした吊り紐を簡単に取り付けることができ、例えば、お年寄りの心身活性等を目的とするビーチボールの各種振り子運動において安全に使用できるビーチボール及びビーチボールの紐取付構造に関する。
【背景技術】
【０００２】
老人福祉施設等において、お年寄りの心身活性やストレス解消を目的としたレクリエーション遊具として、従来、図６に示す遊具が知られている（特許文献１を参照。）。この遊具１０１は、天井等の任意の二点から引っ張った横紐１０２と、その横紐１０２の中央部から吊り下げた吊り紐１０３と、吊り紐の先に取り付けられたビーチボール等の軽量ボール１０４とを備えている。
【０００３】
この遊具１０１によれば、軽量ボール１０４を吊り紐１０３で吊り下げることで、円座したお年寄りに向かって、各種振り子運動をさせることができ、自身に向かって飛んでくるボールに対して、人間が本能的に自身の身体を護ろうとする安全性欲求が刺激され、ボールを避けようとする能動的な動作を誘発することで、お年寄りの心身活性やストレス解消が達成される。
【０００４】
また、この遊具１０１によれば、横紐１０２を介して軽量ボール１０４を吊り下げることで、多方向に揺れ動く軽量ボール１０４の動きが緩やかになり、例えばお年寄りが座ったままでも自分の手の届く範囲に軽量ボール１０４が戻り、施設職員の介助なしでも楽しく遊戯することができる。
【０００５】
さらに、この遊具１０１によれば、元気なお年寄りの中には、普通に打ち返すだけでなく、様々な方向から飛んでくるボールを避けるために大きく仰け反ったり、数人で声をかけ合いながら互いにパスをしたり、長いラリーを楽しむ者もおり、個人の身体機能の程度に合わせて、一連の動作を繰り返し、基礎代謝を上げることで、身体機能を活性化させ、日常生活に必要なリズム感とスピードを培うことができる。
【０００６】
球状体の紐取付構造に関して、従来、図７に示す技術が知られている（特許文献２を参照。）。この紐取付構造は、球状体２０１の頂部２０１Ｃに設けた小孔２０２から紐２０５を通し、小孔２０２よりも一回り大きい紐止め用の金属製又はプラスティック製ハトメ２０６に紐２０５を裏側から止めることで球状体２０１に紐２０５を取り付けるものである。
【０００７】
また、前述の紐取付構造以外にも、空気栓自体に突出部を設け、該突出部に穿設してなる紐取付構造や、空気栓以外の場所に紐を通すための小孔が設けられたフックをビーチボールに貼着してなる紐取付構造が知られている。
【先行技術文献】
【特許文献】
【０００８】
【特許文献１】実用新案登録第３１７１８８４号
【特許文献２】特開２０１１−７９５７９号公報
【発明の概要】
【発明が解決しようとする課題】
【０００９】
しかしながら、この遊具１０１は、不規則な軽量ボール１０４例えばビーチボールの動きやお年寄りがビーチボールを殴打した際の衝撃に耐え得る強度を備えた吊り紐１０３とビーチボールとの取付構造が不可欠であるところ、特許文献１にはその紐取付構造に関しては開示されておらず、特許文献２に開示された紐取付構造は、ビーチボールのように機密性を有する場合には適用できなかった。
【００１０】
また、この遊具１０１は、主にお年寄りを対象とし、ビーチボールをぶつけたり殴打する性質のものであるから、安全性に特に配慮すべきところ、特許文献２に開示された紐取付構造を採用したとしても、金属製又はプラスティック製のハトメを使用することから安全性に万全の配慮をしたものとはならなかった。
【００１１】
さらに、この遊具１０１は、特許文献２に開示された紐取付構造を採用したとすると、製造過程において、複数の素材を用いることによる製造工程が増え、１つの素材のみから製造する場合と比べコスト高となる虞があった。
【００１２】
また、空気栓自体に突出部を設け、該突出部に穿設してなる紐取付構造については、負荷が直接空気栓に掛かり、ビーチボールから空気栓が外れてしまうという欠点があり、フックをビーチボールに貼着してなる紐取付構造については、球状体であるビーチボールに２つの突起物ができることによって美感を損なったり、ビーチボールを吊したときにビーチボールにおける通常の上下の概念から逸脱し違和感を与える虞があった。
【００１３】
そこで、本発明が解決しようとする課題は、不規則なビーチボールの動きやお年寄りがビーチボールを殴打した際の衝撃に耐え得る強度と、お年寄りが遊戯中に怪我をしないような安全性とを備え、コストパフォーマンスにも優れ、美感を損なったり違和感を与えることのないビーチボール及びビーチボールの紐取付構造を提供することである。
【課題を解決するための手段】
【００１４】
この発明は、前記課題を解決するためになされたもので、請求項１に記載のビーチボールは、ボールの外表面を縦割りに複数等分した合成樹脂シート単体の周縁部が貼り合わされてなり、その上端部には気密性を有するように円形状の第１の合成樹脂シート片が固着されており、前記第１の合成樹脂シート片の中央部に空気の挿入口となる空気栓が設けられているビーチボールであって、前記第１の合成樹脂シート片の上に貼着される円形状の第２の合成樹脂シート片と、同素材のシートを複数枚貼着してなり、前記空気栓の周囲を取り囲むように前記第２の合成樹脂シート片の上に配されるドーナツ状の第３の合成樹脂シート片とを備え、前記第２の合成樹脂シート片と前記第３の合成樹脂シート片とは、前記空気栓を中心とする点対称の２箇所において貼着されていることを特徴としている。
【００１５】
請求項１に記載のビーチボールによれば、第２の合成樹脂シート片と、ドーナツ状の第３の合成樹脂シート片とが、空気栓を中心とする点対称の２箇所において貼着されているので、第３の合成樹脂シート片を持ち上げると、２つの半円状の空間が生まれ、その２つの空間に吊り紐を通すことでビーチボールに吊り紐を取り付けることができる。そして、第３の合成樹脂シート片に掛かる負荷が２箇所に分散されるので、ビーチボールが揺れ動く際の負荷が軽減されるとともに、第３の合成樹脂シートを複数枚貼着したことにより、第３の合成樹脂シートの強度が増すので、空気栓自体に突出部を設け空気栓に直接吊り紐を結ぶ場合と比べ、ビーチボールから空気栓が外れるリスクが軽減されるとともに、不規則なビーチボールの動きやお年寄りがビーチボールを殴打した際の強い衝撃にも耐えることができる。
【００１６】
加えて、ビーチボールの頂部にある第３の合成樹脂シート片に吊り紐を結びつけることにより、ビーチボールの球状体表面に空気栓以外の突起物がなくなるため美感を損なうことがなく、ボールの外表面を縦割りに複数等分した合成樹脂シート片が鉛直になるため吊り下げられたビーチボールを見て違和感を感じることがなくなる。
【００１７】
また、請求項１に記載のビーチボールによれば、ハトメのような金属製又はプラスティック製の部品を一切使用せず、ビーチボールと同素材の合成樹脂シート片のみでビーチボールが構成されているので、お年寄りが強く殴打したり、揺れ動くビーチボールを身体で受け止めても怪我の虞がない安全な遊具を提供することができる。
【００１８】
さらに、請求項１に記載のビーチボールによれば、第３の合成樹脂シート片をビーチボールと同じ素材にすることにより、ビーチボール及びビーチボールの取手を１つの素材のみで製造できるので、複数の素材を用いる場合と比べ、製造工程を簡素化でき、延いては製造コストを抑えることができる。
【００１９】
請求項２に記載のビーチボールは、請求項１において、前記第３の合成樹脂シート片は、同素材の合成樹脂シートを３枚重ねでウェルダー加工により溶着されて１枚に形成され、前記第２の合成樹脂シート片と前記第３の合成樹脂シート片との貼着においてもウェルダー加工を用いることを特徴としている。
【００２０】
請求項２に記載のビーチボールによれば、請求項１の効果に加えて、第３の合成樹脂シート片に限られず第２の合成樹脂シート片についても製造に当たり高周波加熱を利用したウェルダー加工を用いるので、合成樹脂シートの溶着面の仕上がりが美しく、不規則なビーチボールの動きやお年寄りがビーチボールを殴打した際の強い衝撃で裂けることなく、強度により優れたビーチボールを提供することができる。
【００２１】
請求項３に記載のビーチボールの紐取手構造は、ボールの外表面を縦割りに複数等分した合成樹脂シート単体の周縁部が貼り合わされてなり、その上端部には気密性を有するように円形状の第１の合成樹脂シート片が固着されており、前記第１の合成樹脂シート片の中央部に空気の挿入口となる空気栓が設けられているビーチボールの取手構造であって、前記第１の合成樹脂シート片の上に貼着される円形状の第２の合成樹脂シート片と、同素材のシートを複数枚貼着してなり、前記空気栓の周囲を取り囲むように前記第２の合成樹脂シート片の上に配されるドーナツ状の第３の合成樹脂シート片とを備え、前記第２の合成樹脂シート片と前記第３の合成樹脂シート片とは、前記空気栓を中心とする点対称の２箇所において貼着されていることを特徴としている。
【００２２】
請求項３に記載のビーチボールの紐取手構造によれば、第２の合成樹脂シート片と、ドーナツ状の第３の合成樹脂シート片とが、空気栓を中心とする点対称の２箇所において貼着されているので、第３の合成樹脂シート片を持ち上げると、２つの半円状の空間が生まれ、その２つの空間に吊り紐を通すことでビーチボールに吊り紐を取り付けることができる。そして、第３の合成樹脂シート片に掛かる負荷が２箇所に分散されるので、ビーチボールが揺れ動く際の負荷が軽減されるとともに、第３の合成樹脂シートを複数枚貼着したことにより、第３の合成樹脂シートの強度が増すので、空気栓自体に突出部を設け空気栓に直接吊り紐を結ぶ場合と比べ、ビーチボールから空気栓が外れてしまうリスクが軽減されるとともに、不規則なビーチボールの動きやお年寄りがビーチボールを殴打した際の強い衝撃にも耐えることができる。
【００２３】
加えて、ビーチボールの頂部にある第３の合成樹脂シート片に吊り紐を結びつけることにより、ビーチボールの球状体表面に空気栓以外の突起物がなくなるため美感を損なうことがなく、ボールの外表面を縦割りに複数等分した合成樹脂シート片が鉛直になるため吊り下げられたビーチボールを見て違和感を感じることがなくなる。
【００２４】
また、請求項３に記載のビーチボールの紐取手構造によれば、ハトメのような金属製又はプラスティック製の部品を一切使用せず、ビーチボールと同素材の合成樹脂シート片のみでビーチボールが構成されているので、お年寄りが強く殴打したり、揺れ動くビーチボールを身体で受け止めても怪我の虞がない安全な遊具を提供することができる。
【００２５】
さらに、請求項３に記載のビーチボールの紐取手構造によれば、第３の合成樹脂シート片をビーチボールと同じ素材にすることにより、ビーチボール及びビーチボールの取手を１つの素材のみで製造できるので、複数の素材を用いる場合と比べ、製造工程を簡素化でき、延いては製造コストを抑えることができる。
【００２６】
請求項４に記載のビーチボールの紐取手構造は、請求項３において、前記第３の合成樹脂シート片は、同素材の合成樹脂シートを３枚重ねでウェルダー加工により溶着されて１枚に形成され、前記第２の合成樹脂シート片と前記第３の合成樹脂シート片との貼着においてもウェルダー加工を用いることを特徴としている。
【００２７】
請求項４に記載のビーチボールの紐取手構造によれば、請求項３の効果に加えて、第３の合成樹脂シート片に限られず第２の合成樹脂シート片についても製造に当たり高周波加熱を利用したウェルダー加工を用いるので、合成樹脂シートの溶着面の仕上がりが美しく、不規則なビーチボールの動きやお年寄りがビーチボールを殴打した際の強い衝撃で裂けることなく、強度により優れたビーチボールを提供することができる。
【発明の効果】
【００２８】
本発明によれば、不規則なビーチボールの動きやお年寄りがビーチボールを殴打した際の衝撃に耐え得る強度と、お年寄りが遊戯中に怪我をしないような安全性とを備え、コストパフォーマンスにも優れたビーチボール及びビーチボールの紐取付構造を提供することができる。
【図面の簡単な説明】
【００２９】
【図１】本発明に係るビーチボール及びビーチボールの紐取付構造の構成の説明に供する図である。
【図２】本発明に係るビーチボールの紐取付部の第１の合成樹脂シート片を示す図である。
【図３】本発明に係るビーチボールの紐取付部の第２の合成樹脂シート片を示す図である。
【図４】本発明に係るビーチボールの紐取付部の第３の合成樹脂シート片を示す図である。
【図５】本発明に係るビーチボールの使用方法の説明に供する図である。
【図６】従来のボール遊具の説明に供する図である。
【図７】従来の球状体の紐取付構造の構成の説明に供する図である。
【発明を実施するための形態】
【００３０】
以下、本発明を適用した具体的な実施の形態について、図面を参照しながら詳細に説明する。本発明は、例えば、図１に示すような構成のビーチボール１に適用される。
【００３１】
先ず、図１を参照して、ビーチボール１の構成の概略について説明する。このビーチボール１は、図１に示すように、上下に開口部を有するビーチボール本体３と、下の開口部を機密性を有するように貼り合わせた円形状の合成樹脂シート片４と、上の開口部を機密性を有するように貼り合わせ、中央部に空気栓８が設けられた円形状の合成樹脂シート片５と、合成樹脂シート片５上に貼着された紐取付部１３とを主要部として備えている。
【００３２】
ビーチボール本体３は、ボールの外表面を縦割りに複数等分した形状の例えばポリ塩化ビニルからなる合成樹脂シート片２を球状に複数枚貼着することにより構成され、合成樹脂シート片２を貼り合わせた段階では、上下に開口部を有している。
【００３３】
合成樹脂シート片４は、図示していないが、例えばポリ塩化ビニルからなる円形状に裁断されたシート片であって、該シート片の周縁部とビーチボール本体３の下の開口部の周縁部とが機密性を有するように貼着されている。
【００３４】
合成樹脂シート片５は、例えばポリ塩化ビニルからなる円形状に裁断されたシート片であって、図２に示すように、中央部に空気の挿入口となる空気栓８が設けられており、図１に示すように、前記シート片の周縁部とビーチボール本体３の上の開口部の周縁部とが機密性を有するように貼着されている。
【００３５】
紐取付部１３は、合成樹脂シート片５やビーチボール本体３と同素材の例えばポリ塩化ビニルからなり、空気栓８を通すための中空が設けられた合成樹脂シート片６（第２の合成樹脂シート片）と、該合成樹脂シート片６の上に配されたドーナツ状の合成樹脂シート片７（第３の合成樹脂シート片）とを主要部として備えている。
【００３６】
合成樹脂シート片７は、図３に示すように、合成樹脂シート片６上に同心円が形成されるように配され、該同心円の中心を通る直線上の２箇所の貼着部９a，９bにおいて、合成樹脂シート片６と貼着されている。
【００３７】
紐取付部１３は、図４に示すように、合成樹脂シート片６の中空に合成樹脂シート片５の空気栓８を通し、合成樹脂シート片５上に貼着されている。したがって、合成樹脂シート片７は、空気栓８を中心とする点対称の２箇所の貼着部９a，９bにおいて、合成樹脂シート片６上に貼着されている。
【００３８】
各合成樹脂シート片の貼着は、ウェルダー加工により溶着することによって行われている。このウェルダー加工による溶着によって、溶着面の仕上がりが美しく、不規則なビーチボール１の動きやお年寄りがビーチボール１を殴打した際にも簡単に裂けない強度が得られる。
【００３９】
続いて、図５を参照して、前述の構成のビーチボール１の使用方法について説明する。このビーチボール１は、主として、老人福祉施設等において、お年寄りの心身活性やストレス解消を目的としたレクリエーション遊具として使用する。
【００４０】
このビーチボール１をレクリエーション遊具として使用するに当たり、先ず、合成樹脂シート片７を持ち上げることで生ずる２つの半円状の空間１５ａ，１５ｂに、吊り紐１１を通し、例えば、登山やレスキュー，高所作業等でよく使われている舫い結び等によって吊り紐１１を取り付ける。その際に、吊り紐１１を空間１５ａ，１５ｂに通すことにより、合成樹脂シート片７に掛かる負荷が、貼着部９ａ，９ｂの２箇所に分散されて軽減される。
【００４１】
次に、天井等の任意の２点である固定部１０ａ，１０ｂに横紐１２を張り、その横紐１２の中央部にヨリモドシ具１４を取り付け、そのヨリモドシ具１４を介して、吊り紐１１が取り付けられたビーチボール１を吊り下げる。
【００４２】
この吊り下げられたビーチボール１は、前述の通り、主として、老人福祉施設等において、円座したお年寄り達が振り子状に打ち合って、様々な方向から飛んでくるボールを避ける動作をして自由に遊戯してもらうことを想定している。
【００４３】
このビーチボール１の使用方法によれば、例えば、お年寄りが自身に向かって飛んでくるボールを殴打したり、大きく仰け反って避けようとすることによって、ボールを打ち返したいという衝動にかられたり、人間が本能的に自身の身体を護ろうとする安全性欲求が刺激され、ボールに対する能動的な動作が誘発されることで、お年寄りの心身活性やストレス解消に役立てられる。
【００４４】
なお、本発明は前述した実施の形態のみに限定されるものではなく、本発明の要旨を逸脱しない範囲において種々の変更が可能であることは勿論である。
【符号の説明】
【００４５】
１      ビーチボール
２      合成樹脂シート片
３      ビーチボール本体
４      合成樹脂シート片
５      合成樹脂シート片
６      合成樹脂シート片
７      合成樹脂シート片
８      空気栓
９ａ，９ｂ  貼着部
１０ａ，１０ｂ  固定部
１１    吊り紐
１２    横紐
１３    紐取付部
１４    ヨリモドシ具
１５ａ，１５ｂ  空間
１６    取手部
１０１  遊具
１０２  横紐
１０３  吊り紐
１０４  軽量ボール
２０１  球状体
２０１ｃ  球状体頂部
２０２  小孔
２０５  紐
２０６  ハトメ
【図２】
2012096049.tif 000003
【図３】
2012096049.tif 000004
【図４】
2012096049.tif 000005
【図６】
2012096049.tif 000006
【図７】
2012096049.tif 000007
【図１】
2012096049.tif 000008
【図５】
2012096049.tif 000009